(57)【要約】【課題】所定の減衰作用を発現し得るのはもちろんのこと、その具現化にあって、大型化を避け、コスト的にも不利にならず、たとえば、二輪車のステアリングダンパへの利用に最適になる。【解決手段】一方側（Ｒ１）と他方側（Ｒ２）とを連通しながら流体の流通を許容する連通路（Ｌ）を有すると共に、この連通路（Ｌ）中に配在されて一方側（Ｒ１）と他方側（Ｒ２）との間を往復する流体の通過時に所定の減衰作用を実現する減衰バルブ（Ｖ）を有してなる減衰構造において、減衰バルブ（Ｖ）が常開型に設定されて流体の通過時に所定の大きさの減衰力を発生する一方で、外部からの外力の入力や電力の印加による一時的な信号の入力時にこの一時的に入力される信号の大きさに比例して流体の通過流量を一時的に変更してなる。【選択図】        図１
2004205030.tif 000002
【特許請求の範囲】
【請求項１】
一方側と他方側とを連通しながら流体の流通を許容する連通路を有すると共に、この連通路中に配在されて一方側と他方側との間を往復する流体の通過時に所定の減衰作用を実現する減衰バルブを有してなる減衰構造において、減衰バルブが常開型に設定されて流体の通過時に所定の大きさの減衰力を発生する一方で、外部からの一時的な信号の入力時にこの一時的に入力される信号の大きさに比例して流体の通過流量を一時的に変更してなることを特徴とする減衰構造
【請求項２】
一方側および他方側がハウジング内にベーンで画成されながらベーンの揺動で広狭する油室あるいはシリンダ内にピストンで画成されながらピストンの摺動で広狭する油室とされてなる一方で、減衰バルブが所定の受圧面積を形成する中央開口を有しながらこの中央開口を取り囲むようにして中央開口と同じ受圧面積となる環状もしくは任意形状に形成の外側開口を有するバルブシート部材と、このバルブシート部材に離着座可能に着座して上記の中央開口および外側開口を同時に開閉可能に閉塞するリーフバルブ状の弁体と、この弁体をこの弁体の背後側からバルブシート部材に押し付けるように機能するソレノイドとを有してなり、バルブシート部材における中央開口が一方側たる上記の油室に連通すると共に外側開口が他方側たる上記の油室に連通し、基端が固定状態に担持される附勢バネの先端が中央開口に臨在されながら上記の弁体における受圧面に当接されてなり、ソレノイドが励磁されていないときに弁体が附勢バネのバネ力でバルブシート部材から離座して流体の通過を許容すると共に、ソレノイドが励磁されているときに弁体がソレノイドにおける出力軸の突出量に応じてバルブシート部材から離座して流体の通過を許容してなる請求項１に記載の減衰構造
【請求項３】
一方側および他方側がハウジング内にベーンで画成されながらベーンの揺動で広狭する油室あるいはシリンダ内にピストンで画成されながらピストンの摺動で広狭する油室とされてなる一方で、減衰バルブが所定の受圧面積を形成する中央開口を有するバルブシート部材と、このバルブシート部材に離着座可能に対向して尖端を上記の中央開口に対向させるポペット状の弁体と、この弁体の尖端をこの弁体の背後側からバルブシート部材に押し付けるように機能するソレノイドとを有してなり、バルブシート部材における中央開口が一方側たる上記の油室と他方側たる上記の油室に連通し、基端が上記のバルブシート部材に担持される附勢バネの先端が上記の弁体における受圧面側に当接されてなり、ソレノイドが励磁されていないときに弁体が附勢バネのバネ力でバルブシート部材から離座して流体の通過を許容すると共に、ソレノイドが励磁されているときに弁体がソレノイドにおける出力軸の突出量に応じてバルブシート部材から離座して流体の通過を許容してなる請求項１に記載の減衰構造
【請求項４】
バルブシート部材に離着座する弁体がバルブシート部材をバルブブロックの所定位置に定着させるキャップに形成の凹部内に浮動可能に収装されてなる一方で、このキャップの軸芯部を貫通するソレノイドにおける出力軸の先端が弁体の背面に当接されてなる請求項２および請求項３に記載の減衰構造
【発明の詳細な説明】
【０００１】
【発明の属する技術分野】
この発明は、減衰構造に関し、特に、両方向が同じ減衰特性となる減衰構造の改良に関する。
【０００２】
【従来の技術】
たとえば、近年の二輪車にあっては、走行中の二輪車における前輪の外乱による振れを効果的に阻止するために両方向が同じ減衰特性となる減衰構造を具現化したステアリングダンパを備えるとする提案がある（たとえば、実開昭６２−９３４４０号）。
【０００３】
この提案による場合、筒型のステアリングダンパを構成するシリンダ体が、たとえば、二輪車の車体側に連結されるのに対して、このシリンダ体内に言わば出没可能に挿通されて同じくのステアリングダンパを構成するロッド体が二輪車におけるハンドル側に連結されることになる。
【０００４】
一方、この提案においてステアリングダンパに減衰構造を具現化するにあっては、上記のロッド体に連設されながら上記のシリンダ体内に摺動可能に収装のピストンでこのシリンダ体内に画成される一方側の油室と他方側の油室とがいわゆる外部に配在の連通路を介して連通されるとしている。
【０００５】
そして、この連通路中には減衰バルブが配在されるとしていて、シリンダ体に対するロッド体のいわゆる出没時に、すなわち、ステアリングダンパの伸縮時にこの減衰バルブを介して一方側の油室と他方側の油室との間で作動油が往復し、所定の減衰作用が実現されるとしている。
【０００６】
そしてまた、このステアリングダンパの伸縮時に同じ減衰特性となるように一つの減衰バルブを利用するとし、しかも、この減衰バルブに向けて一方向から作動油が流れるように四つのチェック弁を利用して流路を形成するとしている。
【０００７】
【特許文献１】
実開昭６２−９３４４０号公報（実用新案登録請求の範囲（１），同（４），第１図）
【０００８】
【発明が解決しようとする課題】
それゆえ、上記した減衰構造にあっては、一方側と他方側の両方向が同じ減衰特性となり、たとえば、この減衰構造を具現化するステアリングダンパにあっては、前輪に対していわゆる左右のいずれの側から入力される外乱に対しても、同様の減衰作用で対抗できることになる。
【０００９】
しかしながら、上記した減衰構造にあっては、作動油が同じ方向から減衰バルブを通過するようにするために、四つのチェック弁を利用することから、ステアリングダンパの外部に配在される連通路の構成が、すなわち、減衰バルブを含む連通路の構成が複雑になり、結果として、減衰構造の複雑化を招来し易くなる。
【００１０】
のみならず、この減衰構造を具現化するにあって、一つの減衰バルブの他に四つのチェック弁を有することから、この減衰バルブとチェック弁を有するバルブブロックが大きくなり、したがって、このバルブブロックを有するステアリングダンパ全体が大型化され、コスト的にも不利になり易くなる不具合がある。
【００１１】
この発明は、このような現状を鑑みて創案されたものであって、その目的とするところは、所定の減衰作用を発現し得るのはもちろんのこと、その具現化にあって、たとえば、ステアリングダンパの大型化を避け、コスト的にも不利にならずして、その汎用性の向上を期待するのに最適となる減衰構造を提供することである。
【００１２】
【課題を解決するための手段】
上記した目的を達成するために、この発明による減衰構造の構成を、基本的には、一方側と他方側とを連通しながら流体の流通を許容する連通路を有すると共に、この連通路中に配在されて一方側と他方側との間を往復する流体の通過時に所定の減衰作用を実現する減衰バルブを有してなる減衰構造において、減衰バルブが常開型に設定されて流体の通過時に所定の大きさの減衰力を発生する一方で、外部からの一時的な信号の入力時にこの一時的に入力される信号の大きさに比例して流体の通過流量を一時的に変更してなるとする。
【００１３】
このとき、信号としては、機械力や電力が選択され、一時的とは、臨時に信号が入力されている間のことを言い、瞬間であるか長時間であるかを問わない。
【００１４】
それゆえ、一方側と他方側の両方向からの流体は、一つの減衰バルブを通過することになり、両方向が同じ特性になる。
【００１５】
そして、減衰バルブに信号が入力されるまでは、流体が連通路を介して一方側と他方側との間を自由に往復し得ることになり、減衰バルブに信号が入力されると、この減衰バルブが連通路を絞り、したがって、一方側と他方側との間における流体の自由な流れが阻止される傾向になる。
【００１６】
そして、上記した構成において、より具体的には、一方側および他方側がハウジング内にベーンで画成されながらベーンの揺動で広狭する油室あるいはシリンダ内にピストンで画成されながらピストンの摺動で広狭する油室とされてなる一方で、減衰バルブが所定の受圧面積を形成する中央開口を有しながらこの中央開口を取り囲むようにして中央開口と同じ受圧面積となる環状もしくは任意形状に形成の外側開口を有するバルブシート部材と、このバルブシート部材に離着座可能に着座して上記の中央開口および外側開口を同時に開閉可能に閉塞するリーフバルブ状の弁体と、この弁体をこの弁体の背後側からバルブシート部材に押し付けるように機能するソレノイドとを有してなり、バルブシート部材における中央開口が一方側たる上記の油室に連通すると共に外側開口が他方側たる上記の油室に連通し、基端が固定状態に担持される附勢バネの先端が中央開口に臨在されながら上記の弁体における受圧面に当接されてなり、ソレノイドが励磁されていないときに弁体が附勢バネのバネ力でバルブシート部材から離座して流体の通過を許容すると共に、ソレノイドが励磁されているときに弁体がソレノイドにおける出力軸の突出量に応じてバルブシート部材から離座して流体の通過を許容してなるとする。
【００１７】
また、上記した構成において、より具体的には、一方側および他方側がハウジング内にベーンで画成されながらベーンの揺動で広狭する油室あるいはシリンダ内にピストンで画成されながらピストンの摺動で広狭する油室とされてなる一方で、減衰バルブが所定の受圧面積を形成する中央開口を有するバルブシート部材と、このバルブシート部材に離着座可能に対向して尖端を上記の中央開口に対向させるポペット状の弁体と、この弁体の尖端をこの弁体の背後側からバルブシート部材に押し付けるように機能するソレノイドとを有してなり、バルブシート部材における中央開口が一方側たる上記の油室と他方側たる上記の油室に連通し、基端が上記のバルブシート部材に担持される附勢バネの先端が上記の弁体における受圧面側に当接されてなり、ソレノイドが励磁されていないときに弁体が附勢バネのバネ力でバルブシート部材から離座して流体の通過を許容すると共に、ソレノイドが励磁されているときに弁体がソレノイドにおける出力軸の突出量に応じてバルブシート部材から離座して流体の通過を許容してなるとする。
【００１８】
それゆえ、バルブシート部材において中央開口が一方側の油室に連通すると共に外側開口が他方側の油室に連通するときに、中央開口と外側開口の受圧面積を同じにするから、あるいは、バルブシート部材における中央開口が一方側の油室に連通すると共に他方側の油室に連通することになるから、両方向で同じ特性の減衰作用を実現させることが可能になる。
【００１９】
そして、ソレノイドが励磁されているときには、弁体がソレノイドにおける出力軸の突出量に応じてバルブシート部材から離座して制限される流体たる作動油の通過を許容することになる。
【００２０】
その結果、弁体とバルブシート部材との間に形成される隙間は、ソレノイドが励磁されていない場合に比較して狭くなるから、その分作動油の通過に際しての流動抵抗が大きくなり、その分大きい減衰作用が実現されることになる。
【００２１】
また、バルブシート部材に離着座する弁体がバルブシート部材をバルブブロックの所定位置に定着させるキャップに形成の凹部内に浮動可能に収装されてなる一方で、このキャップの軸芯部を貫通するソレノイドにおける出力軸の先端が弁体の背面に当接されてなるとする。
【００２２】
それゆえ、キャップをバルブブロックに螺着するときに、弁体をあらかじめ凹部内に収装しておくことで、組み付けを有利にし得る。
【００２３】
【発明の実施の形態】
以下に、図示した実施形態に基づいて、この発明を説明するが、この発明による減衰構造は、図１に示すように、一方側たる油室Ｒ１と他方側たる油室Ｒ２とを連通しながら流体たる作動油の流通を許容する外部の連通路Ｌを有してなるとしている。
【００２４】
このとき、上記の油室Ｒ１，Ｒ２は、図示するところでは、ステアリングダンパたるロータリダンパを構成するハウジングＨ内にベーンＢで画成されながらベーンＢの揺動で広狭するとしているが、これに代えて、図示しないが、筒型のステアリングダンパを構成するシリンダ内にピストンで画成されながらピストンの摺動で広狭するものとされても良いことはもちろんである。
【００２５】
のみならず、この発明が意図するところからすれば、上記の一方側および他方側は、必ずしも図示するような閉鎖回路を構成しなくても良いと言い得る。
【００２６】
一方、この減衰構造は、上記の連通路Ｌ中に配在されて上記の油室Ｒ１と上記の油室Ｒ２との間を往復する作動油の通過時に所定の減衰作用を実現する減衰バルブＶを有してなるとしている。
【００２７】
そして、この減衰バルブＶは、図示するところでは、常開型に設定されていて、作動油の通過時に所定の大きさの減衰力を発生する一方で、外部からの一時的な信号の入力時にこの一時的に入力される信号の大きさに比例して作動油の通過流量を一時的に変更し得るとしている。
【００２８】
その意味からすれば、この減衰バルブＶは、比例流量制御弁からなるのを原則とするであろうが、外部からの一時的な信号の入力時に、結果として、作動油の通過流量を変更するものである限りには、たとえば、比例リリーフ弁からなるとしても良いことはもちろんである。
【００２９】
ところで、上記した所定の大きさの減衰力とは、凡そ作動油が流通する限りには生じるであろう流路抵抗を言うもので、常開型に設定されているとは、この流路抵抗がある中での自由流れを許容する場合を言う。
【００３０】
そして、信号としては、機械力や電力が選択され、たとえば、人力操作によるとしても、この人力を外力にしてワイヤやリンクを介したりして入力される場合を言い、スクリュウドライバを利用するなどの直接入力を含まない。
【００３１】
また、一時的とは、臨時に信号が入力されている間のことを言い、瞬間であるか長時間であるかを問わないのはもちろんで、具体的には、たとえば、スイッチング操作で入力されても、エンジンが切られたら戻り、また、ブレーキング操作で入力されても、ブレーキング操作が解除されたら戻る場合を言う。
【００３２】
ちなみに、図示するところでは、上記の減衰バルブＶに油温補償用のアキュムレータＱが接続されてなるとしているが、このアキュムレータＱが機能するところからすれば、この減衰構造の具現化に際しては、たとえば、減衰バルブＶを有することになるバルブブロックに開穿の流路を介して接続されることになるのはもちろんである（図２参照）。
【００３３】
それゆえ、以上のように構成された減衰構造にあっては、減衰バルブＶに信号が入力されるまでは、一方側たる油室Ｒ１と他方側たる油室Ｒ２の作動油が連通路Ｌを介して互いに自由に往復し得ることになる。
【００３４】
その結果、ハウジングＨ内の油室Ｒ１，Ｒ２が広狭してベーンＢを揺動する、逆に言えば、何らかの原因によってハウジングＨ内でベーンＢが揺動する際に、このベーンＢの揺動が許容されることになる。
【００３５】
一方、この減衰構造にあっては、減衰バルブＶに信号が入力されると、この減衰バルブＶが連通路Ｌを絞ることになり、油室Ｒ１，Ｒ２間における作動油の自由な流れを阻止する傾向になる。
【００３６】
その結果、ハウジングＨ内における油室Ｒ１，Ｒ２の広狭が制限される傾向になり、ベーンＢの揺動が制限される、すなわち、何らかの原因によってハウジングＨ内でベーンＢが揺動する場合に、このベーンＢの揺動が阻止される傾向になる。
【００３７】
以上からすれば、上記のベーンＢにおける揺動中心軸部Ｂ１が、たとえば、図示しない二輪車におけるステアリングシャフトに連繋され、ハウジングＨが同じく図示しない二輪車における車体フレームに連繋される場合には、上記の減衰構造が二輪車のステアリングダンパを構成し得ることになる。
【００３８】
ところで、上記した減衰構造が二輪車のステアリングダンパを構成する場合には、この減衰構造を構成する減衰バルブＶは、たとえば、図２に示すように形成されるであろう。
【００３９】
以下には、この図２に示す減衰バルブＶの具体的な実施の形態について説明するが、まず、バルブブロック１に開穿される一方の流路１ａは、前記した一方側の油室Ｒ１に連通し、同じくこのバルブブロック１に開穿される他方の流路１ｂは、同じく前記した上記の他方側の油室Ｒ２に連通している。
【００４０】
ちなみに、油室Ｒ１，Ｒ２は、前記した図１に示すように、ステアリングダンパたるロータリダンパを構成するハウジングＨ内にベーンＢで画成されながらこのベーンＢの揺動で広狭するとしている。
【００４１】
また、上記のバルブブロック１には、アキュムレータＱが接続されるとしており、このとき、バルブブロック１に開穿された流路１ｃがアキュムレータＱ内に連通するとしている。
【００４２】
一方、減衰バルブＶは、バルブシート部材２と、弁体３と、ソレノイド４とを有してなり、さらに、図示するところでは、キャップ５を有してなる。
【００４３】
バルブシート部材２は、バルブブロック１における所定位置に、すなわち、前記した流路１ａ，１ｂが合流する部位に後述するキャップ５によって固定的に定着されている。
【００４４】
そして、このバルブシート部材２は、軸芯部に開穿された透孔２ａの図中で下端となる一端を上記の流路１ａに連通しながら図中で上端となる他端を、図３にも示すように、所定の受圧面積を形成する中央開口２ｂにしている。
【００４５】
また、このバルブシート部材２は、外周に上記の流路１ｂに連通する環状溝２ｃを有すると共にこの環状溝２ｃより内周側に孔２ｄを有しており、この孔２ｄの図中で下端となる一端を環状溝２ｃに連通させながら、この孔２ｄの図中で上端となる他端を、同じく図３にも示すように、上記の中央開口２ｂを取り囲むように位置決められる外側開口２ｅにしている。
【００４６】
このとき、この発明では、上記の中央開口２ｂと外側開口２ｅは、同じ受圧面積になるように設定されていて、図示するところでは、外側開口２ｅが扇形の開口窓状に形成された四個とされており（図３参照）、この四個の合計の受圧面積が一個の中央開口２ｂの受圧面積と同一になるとしている。
【００４７】
以上からすれば、中央開口２ｂと外側開口２ｅの受圧面積が同じになる限りには、上記したところに代えて、図示しないが、外側開口２ｅが環状に形成され、あるいは、扇形以外の任意の形状を有するように形成されても良いことはもちろんである。
【００４８】
それゆえ、このバルブシート部材２にあっては、中央開口２ｂが一方側の油室Ｒ１に連通すると共に外側開口２ｅが他方側の油室Ｒ２に連通することになり、このとき、中央開口２ｂと外側開口２ｅの受圧面積が同じになるから、後述する弁体３は、同じ油圧が作用するときに開放作動することになる。
【００４９】
その結果、上記の油室Ｒ１，Ｒ２を画成するベーンＢを揺動する入力がいわゆる左右で同じになるときには、この減衰バルブＶで同じ特性の減衰作用を実現させることが可能になる。
【００５０】
ところで、弁体３は、図示するところでは、かなりの肉厚を有するリーフバルブ状に、すなわち、円板状に形成されていて、上記のバルブシート部材２に離着座可能に着座して中央開口２ｂおよび外側開口２ｅを同時に開閉可能に閉塞するとしている。
【００５１】
そして、この弁体３は、附勢バネ６によって図中で上昇方向に附勢されるとしており、これに対して、図中で上面となる背面に後述するソレノイド４の出力軸４ａの図中で下端となる先端が当接されるとしている。
【００５２】
このとき、附勢バネ６は、コイルバネからなり、上記したバルブシート部材２における軸芯部の透孔２ａ内に収装されていて、図中で下端となる基端が固定状態に担持される一方で、図中で上端となる先端が上記の中央開口２ｂに臨在されながら弁体３の図中で下面となる受圧面に当接されるとしている。
【００５３】
一方、この弁体３は、図示するところでは、バルブシート部材２をバルブブロック１の所定位置に定着させるキャップ５に形成の凹部５ａ内に浮動可能に収装されてなるとしている。
【００５４】
そして、ソレノイド４は、上記の弁体３をこの弁体３の背後側からバルブシート部材２に押し付けるように機能するもので、本体部から突出する出力軸４ａを上記のキャップ５の軸芯部を貫通させながら、この出力軸４ａの図中で下端となる先端を弁体３の図中で上面となる背面に当接させている。
【００５５】
それゆえ、この減衰バルブＶにあっては、ソレノイド４が励磁されていないときには、弁体３が附勢バネ６のバネ力でバルブシート部材２から離座して作動油の言わば自由な通過を許容することになる。
【００５６】
すなわち、バルブブロック１に形成の流路１ａが外側開口２ｅおよび中央開口２ｂを介して同じくバルブブロック１に形成の流路１ｂに連通することになり、したがって、一方側の油室Ｒ１と他方側の油室Ｒ２との間における作動油の往復が可能になる。
【００５７】
そして、ソレノイド４が励磁されているときには、弁体３がソレノイド４における出力軸４ａの突出量に応じてバルブシート部材２から離座して言わば制限される作動油の通過を許容することになる。
【００５８】
すなわち、弁体３は、いわゆる下方から附勢バネ６で附勢されて上昇する傾向におかれているが、ソレノイド４が励磁されて出力軸４ａが弁体３の背面に向けて突出するときには、弁体３がその突出量に応じた押し下げ力を受けていることになる。
【００５９】
その結果、弁体３とバルブシート部材２との間に形成される隙間は、ソレノイド４が励磁されていない場合に比較して言わば狭くなっており、したがって、その分作動油の通過に際しては、流動抵抗が大きくなり、その分大きい減衰作用が実現されることになる。
【００６０】
以上からすれば、すなわち、弁体３の機能するところからすれば、この弁体３がソレノイド４における出力軸４ａの先端に一体に保持されていても良いことになるが、仮に、弁体３がソレノイド４の出力軸４ａの先端に一体に保持されているとなると、この弁体３の所定位置への配在、すなわち、ソレノイド４のバルブブロック１への連繋が困難になる不具合を招くことが危惧されることになる。
【００６１】
そこで、この発明では、弁体３は、ソレノイド４の出力軸４ａと分離されている上に、キャップ５の底面に形成の凹部５ａ内に浮動可能に収装されてなるとするもので、これによって、キャップ５をバルブブロック１に螺着するときに、凹部５ａにあらかじめ収装されていれば組付け上で有利になる。
【００６２】
ちなみに、キャップ５には、その肉厚を貫通するように孔５ｂが開穿されていて、弁体３の背後側がこの孔５ｂを介して前記したアキュムレータＱ内に連通する流路１ｃに連通するとしている。
【００６３】
また、ソレノイド４は、図示するところでは、バルブブロック１に圧入されて保持されるとしているが、要する場合には、バルブブロック１に螺着されて保持されるとしても良いことはもちろんである。
【００６４】
図４に示すところは、前記したところに比較してバルブシート部材２の構成を簡素化し、併せて，弁体３の構成を変更した実施の形態を示すもので、以下にはこれについて少し説明する。
【００６５】
ちなみに、図示するところにあって、その構成が前記したところと同様となるところについては、図中に同一の符号を付するのみとして、その詳しい説明を省略する。
【００６６】
すなわち、この実施の形態では、減衰バルブＶが所定の受圧面積を形成する中央開口２ｂを有するバルブシート部材２と、このバルブシート部材２に離着座可能に対向して尖端を上記の中央開口２ｂに対向させるポペット状の弁体３と、この弁体３の尖端をこの弁体３の背後側からバルブシート部材２に押し付けるように機能するソレノイド４とを有してなる。
【００６７】
そして、バルブシート部材２における中央開口２ｂが一方側の油室Ｒ１と他方側の油室Ｒ２に連通し、基端が上記のバルブシート部材２に担持される附勢バネ６の先端が上記の弁体３における受圧面側に当接されてなるとしている。
【００６８】
また、ソレノイド４が励磁されていないときに弁体３が附勢バネ６のバネ力でバルブシート部材２から離座して作動油の通過を許容すると共に、ソレノイド４が励磁されているときに弁体３がソレノイド４における出力軸４ａの突出量に応じてバルブシート部材２から離座して作動油の通過を許容してなるとしている。
【００６９】
ちなみに、キャップ５には、前記の流路１ｂに連通する孔５ｃが開穿されていて、バルブシート部材２における中央開口２ａを介しての前記の流路１ａとの連通を可能にしている。
【００７０】
それゆえ、この実施形態にあっては、バルブブロック１に形成の流路１ａが中央開口２ｂを介して同じくバルブブロック１に形成の流路１ｂに連通することになり、したがって、一方側の油室Ｒ１と他方側の油室Ｒ２との間における作動油の往復が可能になる。
【００７１】
そして、ソレノイド４が励磁されて出力軸４が所定ストローク突出しているときには、弁体３が所定ストロークだけバルブシート部材２から離座して言わば制限される作動油の通過を許容することになる。
【００７２】
なお、図４に示す実施形態にあっては、弁体３たるポペットの外周とこれを収装するキャップ５の内周との間における隙間流れが許容されていて、ポペットの尖端側がこのポペットのいわゆる背後側に連通し、その結果、アキュムレータＱによる油温補償が実現可能とされてなるとしている。
【００７３】
それゆえ、これに代えて、図示しないが、弁体３における摺動性を安定させるために、ポペットの外周にシールを有する場合には、このポペットの外周とキャップ５の内周との間における隙間流れが阻止されるが、この場合には、ポペットの尖端側が直接アキュムレータＱに連通されて、所定の油温補償が実現されるとしても良い。
【００７４】
【発明の効果】
以上のように、請求項１の発明にあっては、減衰バルブに信号が入力されていないときに、流体が連通路を介して一方側と他方側との間を自由に往復し得ることになり、減衰バルブに信号が入力されると、この減衰バルブが連通路を絞ることになって、一方側と他方側との間における流体の自由な流れが阻止される傾向になる。
【００７５】
そして、請求項２の発明にあっては、バルブシート部材において中央開口が一方側の油室に連通すると共に外側開口が他方側の油室に連通するときに、中央開口と外側開口の受圧面積を同じにするから、両方向で同じ特性の減衰作用を実現させることが可能になる。
【００７６】
そして、ソレノイドが励磁されているときには、弁体がソレノイドにおける出力軸の突出量に応じてバルブシート部材から離座して制限される作動油の通過を許容することになる。
【００７７】
その結果、弁体とバルブシート部材との間に形成される隙間は、ソレノイドが励磁されていない場合に比較して狭くなるから、その分作動油の通過に際しての流動抵抗が大きくなり、その分大きい減衰作用が実現されることになる。
【００７８】
また、請求項３の発明にあっては、バルブシート部材における中央開口が一方側の油室に連通すると共に他方側の油室に連通することになるから、両方向で同じ特性の減衰作用を実現させることが可能になるのはもちろんのこと、特に、バルブシート部材の構成を簡素化し得るから、部品コストを低減できる点で有利となる。
【００７９】
さらに、請求項４の発明にあっては、弁体がキャップの底面に形成の凹部内に浮動可能に収装されるとするから、バルブシートをバルブブロックの所定位置に定着させるためのキャップをバルブブロックに螺着するときに、凹部にあらかじめ弁体が収装されているので、組み付けで有利になる。
【００８０】
その結果、この発明によれば、所定の減衰作用を発現し得るのはもちろんのこと、その具現化にあって、大型化を避け、コスト的にも不利にならず、たとえば、二輪車のステアリングダンパへの利用に最適となる。
【図面の簡単な説明】
【図１】この発明による減衰構造を示す回路図である。
【図２】図１中の減衰バルブの一実施形態を一部正面図にして示す断面図である。
【図３】図２中のＸ−Ｘ線で示すバルブシート部材におけるシート面の拡大端面図である。
【図４】図１中の減衰バルブにおける他の実施形態を図２と同様に示す図である。
【符号の説明】
１  バルブブロック
１ａ，１ｂ  流路
２  バルブシート部材
２ａ  透孔
２ｂ  中央開口
２ｃ  環状溝
２ｄ，５ｂ  孔
２ｅ  外側開口
３  弁体
４  ソレノイド
５  キャップ
５ａ  凹部
６  附勢バネ
Ｂ  ベーン
Ｂ１  揺動中心軸部
Ｈ  ハウジング
Ｌ  連通路
Ｑ  アキュムレータ
Ｒ１  一方側としての油室
Ｒ２  他方側としての油室
Ｖ  減衰バルブ
【図１】
2004205030.tif 000003
【図２】
2004205030.tif 000004
【図３】
2004205030.tif 000005
【図４】
2004205030.tif 000006